(57)【要約】【課題】  低コストでかつ小型化に有利な構造を有する複数の画像読み取りセンサを備えた画像読み取り装置を提供することをその目的とする。【解決手段】  画像読み取り装置１０は、複数の画像読み取りセンサ２１，３１，４１と、これらの画像読み取りセンサ２１，３１，４１を制御するＣＩＳ装置制御チップ５０と、を備えている。ＣＩＳ装置制御チップ５０は、画像読み取りセンサ２１，３１，４１の読み取り動作を制御するトリガー生成回路５４、ランプ制御回路５５、モータ制御回路５６を備えている。また、ＣＩＳ装置制御チップ５０は、画像読み取りセンサ２１、画像読み取りセンサ３１、および第３画像読み取りセンサ４１のそれぞれに応じて設けられた複数の入力端子５１ａ〜５１ｃを備えかつ画像読み取りセンサ２１，３１，４１から送られるアナログラインデータのゲイン及びオフセットを調整するゲイン／オフセット調整回路であるＡＦＥ５１を備えている。【選択図】    図１ 
2005072784.tif 000002
【特許請求の範囲】
【請求項１】
それぞれ読み取り媒体上の画像を読み取ってアナログ画像信号を生成する複数の画像読み
取りセンサと、前記複数の画像読み取りセンサを制御するＩＣチップと、を備え、
前記ＩＣチップは、
前記複数の画像読み取りセンサの読み取り動作を制御する制御回路と、
前記複数の画像読み取りセンサのそれぞれに応じて設けられた複数の入力端子を備え、前
記複数の画像読み取りセンサから送られる前記アナログ画像信号のゲイン及びオフセット
を調整するゲイン／オフセット調整回路とを、を有することを特徴とする画像読み取り装
置。
【請求項２】
前記ゲイン／オフセット調整回路は、ＲＧＢの３色に対応した入力端子を有するカラー用
のゲイン／オフセット調整回路であることを特徴とする請求項１記載の画像読み取り装置
。
【請求項３】
前記ＩＣチップは、前記複数の画像読み取りセンサにトリガー信号を送信し、画像読み取
りを実行させるトリガー信号生成部を備えたことを特徴とする請求項１または２記載の画
像読み取り装置。
【請求項４】
前記複数の画像読み取りセンサは、それぞれ異なる媒体搬送路に配置され、異なる種類の
読み取り媒体を読み取ることを特徴とする請求項１〜３の何れか１項に記載の画像読み取
り装置。
【請求項５】
前記複数の画像読み取りセンサは、スリップ紙搬送路に配置されたスリップ紙画像読み取
りセンサと、カード搬送路に配置されたカード画像読み取りセンサとを有することを特徴
とする請求項４記載の画像読み取り装置。
【請求項６】
前記複数の画像読み取りセンサは、ＣＩＳ型の画像読み取りセンサであることを特徴とす
る請求項１〜５の何れか１項に記載の画像読み取り装置。
【発明の詳細な説明】
【技術分野】
【０００１】
本発明は、複数の画像読み取りセンサを備えた画像読み取り装置に関する。
【背景技術】
【０００２】
用紙やカード等の読み取り媒体上に描かれた画像情報を取得する装置としては、イメー
ジスキャナが一般的に用いられている。イメージスキャナは、読み取りヘッドを読み取り
媒体に密着させた状態で、読み取りヘッドに設けられたＬＥＤ等から読み取り媒体に光を
照射し、読み取り媒体上で反射した光を読み取りヘッドに設けられた画像読み取りセンサ
を用いて受光することによって読み取り媒体上の画像情報を取得する。
【０００３】
イメージスキャナとしては、自走型イメージスキャナとシートフィード型イメージスキ
ャナの２種類が存在する。自走型イメージスキャナは、例えばフラットッド型のイメージ
スキャナに代表されるように、その読み取りヘッドが読み取り媒体上を移動することによ
り読み取り媒体上の全画像情報を取得するものである。一方、シートフィード型イメージ
スキャナは、読み取り媒体を読み取りヘッドに密着させた状態で読み取り媒体を移動させ
ることにより読み取り媒体上の全画像情報を取得するものである。
【０００４】
自走型イメージスキャナは、その装置内に読み取りヘッドを移動させるためのスペース
を確保する必要があるため、装置のサイズが大型化してしまう傾向にある。そのため、小
型化の観点からいえば、シートフィード型イメージスキャナのほうが自走型イメージスキ
ャナよりも有利である。
【０００５】
図５は、シートフィード型イメージスキャナ３００を示す図である。シートフィード型
イメージスキャナ３００では、給紙トレイ３０２上に載置されたシート原稿Ｐは、昇降ト
レイ３０３によって上昇し、給紙ローラ３０４によってピックアップされて、挿入口Ｆか
らシートフィード型イメージスキャナ３００内部に搬送される。そして、シート原稿Ｐは
、分離ローラ対３０５および搬送ローラ対３０６により画像センサ３０１まで搬送される
。画像センサ３０１は、搬送されたシート原稿Ｐを読み取り、読み取りが終了したシート
原稿Ｐは、排紙ローラ対３０７によって排出口Ｒから排紙トレイ３０８に排出される（例
えば、特許文献１参照）。
【０００６】
一般にシートフィード型の画像読み取りセンサでは、ＣＩＳ（Contact Image Sensor：
密着型撮像素子）方式の画像読み取りセンサが用いられる。この種のＣＩＳ方式の画像読
み取りセンサは、ランプによって照射された読み取り媒体からの反射光を、ロッドレンズ
アレイと呼ばれるレンズを介して読み取り媒体の幅方向に並べられた複数の受光素子で読
み取るものである。ＣＩＳ方式の画像読み取りセンサは、縮小光学系方式（ＣＣＤ方式）
の画像読み取りセンサのようにミラーが必要ないため、センサ本体を小さくすることがで
き、装置の小型化に有利である。
【特許文献１】特開平１１−２８４８０１（（００１４），図１）
【発明の開示】
【発明が解決しようとする課題】
【０００７】
一般に、ＣＩＳ方式の画像読み取りセンサによって、高精度で読み取り媒体の画像情報
を読み取るためには、ばね等を用いて適当な圧力で読み取り媒体を画像読み取りセンサの
ガラス面に押し付けながら原稿を搬送して画像を読み取る必要がある。したがって、一つ
の画像読み取りセンサによって運転免許証と小切手のように厚さの異なる読み取り媒体を
読み取る場合には、読み取り媒体の厚さに応じて読み取り媒体を画像読み取りセンサのガ
ラス面に押し付ける必要があり、複雑な構造が必要となってくるという問題がある。
【０００８】
この問題を解決するために、一つの装置に想定される読み取り媒体の厚さに応じて複数
の画像読み取りセンサを設けることも考えられる。しかしながら、一つの装置に複数の画
像読み取りセンサを設けると、画像読み取りセンサ毎に信号処理回路、制御回路等を設け
る必要があり、コストが増大し、また制御基板が大きくなってしまうという問題点がある
。
【０００９】
本発明は、上記問題点を鑑みてなされたものであり、低コストでかつ小型化に有利な構
造を有する複数の画像読み取りセンサを備えた画像読み取り装置を提供することを目的と
する。
【課題を解決するための手段】
【００１０】
本発明の上記課題は、以下のような構成によって達成される。
（１）  それぞれ読み取り媒体上の画像を読み取ってアナログ画像信号を生成する複数の
画像読み取りセンサと、前記複数の画像読み取りセンサを制御するＩＣチップと、を備え
、
前記ＩＣチップは、
前記複数の画像読み取りセンサの読み取り動作を制御する制御回路と、
前記複数の画像読み取りセンサのそれぞれに応じて設けられた複数の入力端子を備え、前
記複数の画像読み取りセンサから送られる前記アナログ画像信号のゲイン及びオフセット
を調整するゲイン／オフセット調整回路とを、を有することを特徴とする画像読み取り装
置。
（２）  前記ゲイン／オフセット調整回路は、ＲＧＢの３色に対応した入力端子を有する
カラー用のゲイン／オフセット調整回路であることを特徴とする（１）記載の画像読み取
り装置。
（３）  前記ＩＣチップは、前記複数の画像読み取りセンサにトリガー信号を送信し、画
像読み取りを実行させるトリガー信号生成部を備えたことを特徴とする（１）または（２
）記載の画像読み取り装置。
（４）  前記複数の画像読み取りセンサは、それぞれ異なる媒体搬送路に配置され、異な
る種類の読み取り媒体を読み取ることを特徴とする（１）〜（３）の何れか一つに記載の
画像読み取り装置。
（５）  前記複数の画像読み取りセンサは、スリップ紙搬送路に配置されたスリップ紙画
像読み取りセンサと、カード搬送路に配置されたカード画像読み取りセンサとを有するこ
とを特徴とする（４）記載の画像読み取り装置。
（６）  前記複数の画像読み取りセンサは、ＣＩＳ型の画像読み取りセンサであることを
特徴とする（１）〜（５）の何れか１項に記載の画像読み取り装置。
【発明の効果】
【００１１】
本発明によれば、単一のスキャナ制御用のＩＣチップを用いることにより、１台のスキ
ャナ装置に設けられた複数の画像読み取り装置の動作制御および信号処理を実施すること
が可能である。よって、複数の画像読み取りセンサを設けた場合であっても、画像読み取
り装置毎に信号処理回路、制御回路等を設ける必要が無く、制御基板をコンパクトにする
ことが可能となる。
【発明を実施するための最良の形態】
【００１２】
以下、図面を参照しながら、本発明に係る画像読み取り装置の実施形態について、詳細
に説明を行う。
【００１３】
図１は、本発明に係る画像読み取り装置の一実施形態を示すブロック図である。また、
図２は、本実施形態の画像読み取り装置の制御回路の一部を示す図である。
【００１４】
本実施形態の画像読み取り装置１０は、第１のＣＩＳ装置２０と、第２のＣＩＳ装置３
０と、第３のＣＩＳ装置４０と、ＣＩＳ装置制御チップ５０と、モータ６０と、メモリ７
０とを備えており、ホストコンピュータ１００からの動作指示に応じて動作可能に構成さ
れている。本実施形態の画像読み取り装置１０では、第１のＣＩＳ装置２０、第２のＣＩ
Ｓ装置３０、第３のＣＩＳ装置４０の３つの画像読み取りセンサ装置が、ＣＩＳ装置制御
チップ５０によって制御されている。すなわち、本実施形態では、第１のＣＩＳ装置２０
、第２のＣＩＳ装置３０、第３のＣＩＳ装置４０が同一の制御系によって制御されている
。
以下、まず各ＣＩＳ装置２０，３０，４０について説明をする。
【００１５】
第１のＣＩＳ装置２０は、第１の媒体搬送路に配置された第１の読み取り媒体に光を照
射する第１ランプ２２と、第１ランプ２２によって照射された第１の読み取り媒体をスキ
ャンして第１の読み取り媒体の１ライン分の画像データである第１のアナログラインデー
タＡ1を順次取得する第１画像読み取りセンサ２１とを備えている。
【００１６】
第２のＣＩＳ装置３０は、第１のＣＩＳ装置２０と同様の構成を有しており、具体的に
は、第２の媒体搬送路に配置された第２の読み取り媒体に光を照射する第２ランプ３２と
、第２ランプ３２によって照射された第２の読み取り媒体をスキャンして第２の読み取り
媒体の１ライン分の画像データである第２のアナログラインデータＡ2を順次取得する第
２画像読み取りセンサ３１とを備えている。
【００１７】
第３のＣＩＳ装置４０は、第１のＣＩＳ装置２０及び第２のＣＩＳ装置３０と同様の構
成を有しており、具体的には、第３の媒体搬送路に配置された第３の読み取り媒体に光を
照射する第３ランプ４２と、第３ランプ４２によって照射された第３の読み取り媒体をス
キャンして第３の読み取り媒体の１ライン分の画像データである第３のアナログラインデ
ータＡ3を取得する第３画像読み取りセンサ４１とを備えている。
【００１８】
これらの第１のＣＩＳ装置２０、第２のＣＩＳ装置３０、または第３のＣＩＳ装置４０
は、それぞれモータ６０が、図示せぬ搬送ローラを駆動して各読み取り媒体を１ライン分
ずつ送り出すのに応じて対応する読み取り媒体を１ライン分ずつ読み取る。読み取りによ
り生成される１ライン分の第１のアナログラインデータＡ1、第２のアナログラインデー
タＡ2、または第３のアナログラインデータＡ3は、ＣＩＳ装置制御チップ５０に送られる
。
【００１９】
なお、上記説明では、第１のＣＩＳ装置２０、第２のＣＩＳ装置３０、及び第３のＣＩ
Ｓ装置４０は、それぞれ異なる媒体搬送路に配置されて異なる読み取り媒体を読み取ると
して説明したが、これに限られることはなく、例えば、同一の媒体搬送路に２つのＣＩＳ
装置を配置し、読み取り媒体の厚さに応じて使用するＣＩＳ装置を変更したり、２つのＣ
ＩＳ装置によって一つの読み取り媒体の表面と裏面をそれぞれ読み取るように構成したり
してもよい。
【００２０】
ＣＩＳ装置制御チップ５０は、第１のＣＩＳ装置２０、第２のＣＩＳ装置３０および第
３のＣＩＳ装置４０による各読み取り媒体の読み取りを制御し、かつ第１のＣＩＳ装置２
０、第２のＣＩＳ装置３０または第３のＣＩＳ装置４０から送られる第１のアナログライ
ンデータＡ1、第２のアナログラインデータＡ2、または第３のアナログラインデータＡ3
をデジタル信号に変換して、メモリ７０に送出するＣＩＳ装置制御用ＩＣチップである。
このＣＩＳ装置制御チップ５０は、ＡＦＥ（Analog Front End）５１、ＡＤＣ(Analog to
Digital Converter)５２、補正回路５３、トリガー生成回路５４、ランプ制御回路５５
、モータ制御回路５６、通信制御部５７およびチップ制御部５８を有し、チップ制御部５
８によって各部５１〜５７が統括的に制御されている。
【００２１】
このＣＩＳ装置制御チップ５０は、３つの入力端子を有しており、実質的にＲＧＢの３
色に対応した入力端子を有するカラー用のＣＩＳ装置制御チップと同等である。したがっ
て、カラー用のＣＩＳ装置制御チップをこのＣＩＳ装置制御チップ５０として用いてもよ
い。
【００２２】
ＡＦＥ５１は、第１のＣＩＳ装置２０から送られる第１のアナログラインデータＡ1、
第２のＣＩＳ装置３０から送られる第２のアナログラインデータＡ2、および第３のＣＩ
Ｓ装置３０から送られる第３のアナログラインデータＡ3のオフセット電圧及びゲインを
後段のＡＤＣ５２の特性に合わせて調節するためのゲイン／オフセット調整回路である。
このＡＦＥ５１は、図２に示すように、第１のアナログラインデータＡ1、第２のアナロ
グラインデータＡ2および第３のアナログラインデータＡ3、の各アナログ信号に応じた入
力端子５１ａ，５１ｂ，５１ｃを有している。
【００２３】
具体的に、ＡＦＥ５１は、第１のアナログラインデータＡ1、第２のアナログラインデ
ータＡ2、第３のアナログラインデータＡ3の各特性に応じてそれぞれ異なるオフセット設
定値を備えた第１オフセット調整回路８１、第２オフセット調整回路８２および第３オフ
セット調整回路８３と、それぞれ異なるゲイン調整値を備えた第１ゲイン調整回路８４、
第２ゲイン調整回路８５および第３ゲイン調整回路８６を有している。
【００２４】
第１の入力端子５１ａから入力される第１のアナログラインデータＡ1は、第１オフセ
ット調整回路８１にて第１のアナログラインデータＡ1用のオフセット調整がなされ、そ
して第１ゲイン調整回路８４にて第１のアナログラインデータＡ1用のゲイン調整がなさ
れて、出力端子５１ｄからＡＤＣ５２に出力される。
【００２５】
同様に、第２の入力端子５１ｂから入力される第２のアナログラインデータＡ2は、第
２オフセット調整回路８２にて第２のアナログラインデータＡ2用のオフセット調整がな
され、そして第２ゲイン調整回路８５にて第２のアナログラインデータＡ2用のゲイン調
整がなされて、出力端子５１ｄからＡＤＣ５２に出力される。
【００２６】
更に同様に、第３の入力端子５１ｃから入力される第３のアナログラインデータＡ3は
、第３オフセット調整回路８３にて第３のアナログラインデータＡ3用のオフセット調整
がなされ、そして第３ゲイン調整回路８６にて第３のアナログラインデータＡ3用のゲイ
ン調整がなされて、出力端子５１ｄからＡＤＣ５２に出力される。
【００２７】
以上のように、ＡＦＥ５１は、第１画像読み取りセンサ２１、第２画像読み取りセンサ
３１および第３画像読み取りセンサ４１の読み取り特性毎に異なる信号レベル及びレンジ
をＡＤＣ５２に最適化して、ＡＤＣ５２に送出する。
【００２８】
ＡＤＣ５２は、ＡＦＥ５１から送出される第１のアナログラインデータＡ1、第２のア
ナログラインデータＡ2、または第３のアナログラインデータＡ3をデジタル信号に変換す
るＡＤコンバータである。ＡＤＣ５２によって生成されたデジタル信号は、補正回路５３
に送出される。
【００２９】
補正回路５３は、ＡＤＣ５２から送出されたデジタル信号に必要に応じたデジタル処理
を行う補正回路である。補正回路５３でデジタル処理が施されたデジタル信号は、メモリ
７０に順次保存される。このメモリ７０内に第１のＣＩＳ装置２０、第２のＣＩＳ装置３
０または第３のＣＩＳ装置４０から送出されたデジタル信号が順次保存されていくことに
より、メモリ７０内に２次元デジタル画像が生成される。
【００３０】
トリガー生成回路５４は、チップ制御部５８から指示に従い、第１のＣＩＳ装置２０、
第２のＣＩＳ装置３０または第３のＣＩＳ装置４０に１ライン分の画像読み取りを指示す
るトリガーパルスを送出する回路である。第１のＣＩＳ装置２０、第２のＣＩＳ装置３０
または第３のＣＩＳ装置４０は、このトリガーパルスに応じて１ライン分の画像読み取り
を実行する。
【００３１】
ランプ制御回路５５は、基板制御部５８からの指示に従い、各ＣＩＳ装置２０〜４０に
設けられた第１ランプ２２，第２ランプ２３、または第３ランプ２４を駆動する制御回路
である。ランプ制御回路５５から指示を受けた第１ランプ２２，第２ランプ２３または第
３ランプ２４は、対応する媒体搬送路に配置された読み取り媒体に光を照射して、対応す
る画像読み取りセンサ２１，３１，４１が画像読み取り可能な状態とする。
【００３２】
モータ制御回路５６は、画像読み取りを実行する読み取り媒体を対応する媒体搬送路内
で搬送するモータ６０の駆動制御を行う回路である。モータ６０は、その回転軸の回転数
をステップ数で制御可能に構成されており、モータ制御回路５６は、モータ６０に所定の
パルスを送信することにより、モータ６０の回転、つまりはモータ６０により駆動される
搬送ローラの回転を制御することにより、媒体搬送路に配置された読み取り媒体の送り量
を制御する。
【００３３】
通信制御部５７は、外部に設置された例えばホストコンピュータ１００との通信を制御
するための制御部である。通信制御部５７は、ホストコンピュータ１００から所定のコマ
ンドを受信することにより、読み取り媒体の搬送、排出、画像読み取りの実行等を実施さ
せる。
【００３４】
本実施形態の画像読み取り装置１０においては、ホストコンピュータ１００から通信制
御部５７を介してスキャンコマンドを受信すると、チップ制御部５８は、スキャンコマン
ドに応じて第１のＣＩＳ装置２０、第２のＣＩＳ装置３０、または第３のＣＩＳ装置４０
の何れかに画像読み取りを実行させると判断する。そして、チップ制御基板５８は、モー
タ制御回路５６を介して読み取り媒体を搬送しながら、ランプ制御回路５５を介して対応
する媒体搬送路に配置された読み取り媒体に光を照射し、そしてトリガー生成回路５４か
ら対応する画像読み取りセンサにトリガーパルスを出力することにより、対応する画像読
み取りセンサに画像読み取りを実行させる。
【００３５】
そして、生成されたアナログラインデータは、ＡＦＥ５１に送られて読み取りが行われ
た画像読み取りセンサに応じたオフセット／ゲイン調整が施され、ＡＤＣ５２にてデジタ
ル信号に変換される。そして、生成されたデジタル信号は、補正回路５３で所定のデジタ
ル処理が施されて、１ライン分のデジタル信号がメモリ７０に保存される。
【００３６】
そして、以上の処理が、読み取り媒体の読み取り領域にわたって複数ライン分繰り返さ
れ、メモリ７０に読み取り媒体の２次元デジタル画像データが生成される。
【００３７】
以上、説明したように、本実施形態の画像読み取り装置１０は、第1の読み取り媒体上
の画像を読み取ってアナログラインデータＡ1を生成する第１画像読み取りセンサ２１と
、第２の読み取り媒体上の画像を読み取ってアナログラインデータＡ2を生成する第２画
像読み取りセンサ３１と、第３の読み取り媒体上の画像を読み取ってアナログラインデー
タＡ3を生成する第３画像読み取りセンサ４１と、これら第１画像読み取りセンサ２１、
第２画像読み取りセンサ３１、および第３画像読み取りセンサ４１を制御するＣＩＳ装置
制御チップ５０と、を備えている。
【００３８】
そして、ＣＩＳ装置制御チップ５０は、第１画像読み取りセンサ２１、第２画像読み取
りセンサ３１、および第３画像読み取りセンサ４１の読み取り動作を制御するトリガー生
成回路５４、ランプ制御回路５５、モータ制御回路５６を備えている。さらに、ＣＩＳ装
置制御チップ５０は、第１画像読み取りセンサ２１、第２画像読み取りセンサ３１、およ
び第３画像読み取りセンサ４１のそれぞれに応じて設けられた複数の入力端子５１ａ〜５
１ｃを備え、第１画像読み取りセンサ２１、第２画像読み取りセンサ３１または第３画像
読み取りセンサ４１から送られるアナログラインデータＡ1，Ａ2，Ａ3のゲイン及びオフ
セットを調整するゲイン／オフセット調整回路であるＡＦＥ５１を備えている。
【００３９】
したがって、本実施形態によれば、ＣＩＳ装置制御チップ５０を用いることにより、第
１画像読み取りセンサ２１、第２画像読み取りセンサ３１、および第３画像読み取りセン
サ４１の３つの画像読み取りセンサの動作制御および信号処理を実施することが可能であ
る。よって、複数の画像読み取りセンサを設けた場合であっても、画像読み取りセンサ毎
に信号処理回路、制御回路等を設ける必要が無く、制御基板をコンパクトにすることが可
能となる。
【００４０】
なお、本実施形態では、一つのＣＩＳ装置制御チップ５０がＡＦＥ（Analog Front End
）５１、ＡＤＣ(Analog to Digital Converter)５２、補正回路５３、トリガー生成回路
５４、ランプ制御回路５５、モータ制御回路５６、通信制御部５７およびチップ制御部５
８を有しているとして説明を行ったが、これに限られることはない。例えば、ＡＦＥ（An
alog Front End）５１、ＡＤＣ(Analog to Digital Converter)５２、補正回路５３が各
画像読み取りセンサ２１，３１，４１からのデータを処理する制御チップとして構成され
、そしてトリガー生成回路５４、ランプ制御回路５５、モータ制御回路５６、通信制御部
５７が、第１のＣＩＳ装置２０、第２のＣＩＳ装置３０、第３のＣＩＳ装置４０の画像読
み取りを制御する別の制御チップで構成されていてもよい。すなわち、第１のＣＩＳ装置
２０、第２のＣＩＳ装置３０、第３のＣＩＳ装置４０が同一の制御系によって動作させる
ことができればよく、機能毎に別チップであってもよい。
【００４１】
本実施形態では、このＣＩＳ装置制御チップ５０として、カラースキャナ用のコントロ
ーラＩＣを用いることができる。この場合には、カラースキャナ用のＲＧＢ入力に対して
、第１画像読み取りセンサ２１、第２画像読み取りセンサ３１、および第３画像読み取り
センサ４１のそれぞれを割り当てて、制御プログラム（ファームウェア）を構成すること
により達成でき、複雑な制御等を必要とすることなく、制御基板をコンパクト化させるこ
とが可能となる。
【００４２】
また、実用面においても、このＣＩＳ装置制御チップ５０としてカラースキャナ用のコ
ントローラＩＣを用いることで従来のプログラム資産を流用できる。したがって、複数の
画像読み取りセンサを制御するＣＩＳ装置制御チップ５０用に特別な制御プログラムを作
成する必要がないので、ファームウェアの開発費を削減することもできる。
【００４３】
上記説明では、ＣＩＳ装置制御チップ５０に３つの画像読み取りセンサを設けるとして
説明したが、これに限られることはなく、例えば、ＣＩＳ装置制御チップ５０に２つの画
像読み取りセンサを接続し、ＣＩＳ装置制御チップ５０に設けられたＡＦＥ５１の入力端
子の一つは未使用の状態としてもよい。
【００４４】
図３及び図４は、このＣＩＳ装置制御チップ５０を２つの画像読み取りセンサを有する
画像読み取り装置である画像読み取りセンサ付きプリンタに適用した例を説明する図であ
る。
【００４５】
図３に示す画像読み取りセンサ付きプリンタ２１０は、ロール紙とスリップ紙Ｓの双方
へ印刷可能であり、かつスリップ紙Ｓ及びカードＣに記録された画像情報を読み取る二つ
の画像読み取りセンサを備えたプリンタである。
【００４６】
画像読み取りセンサ付きプリンタ２１０は、筐体２１１ａ内部に連続紙としてのロール
紙を収納するとともに、このロール紙への印字を行う印字機構等を備える背面側筐体部２
１１と、背面側筐体部２１１の正面側に設けられ、背面側筐体部２１１との間にスリップ
紙Ｓが搬送されるスリップ紙搬送路２２１を画成する正面側筐体部２１２と、背面側筐体
部２１１の上面側を覆うようにに取り付けられ、カードＣに記録された画像情報を読み取
る読み取りセンサ機構等を収納する上面蓋体部２１３とが一体に形成されて構成されてい
る。
【００４７】
ここで、正面側筐体部２１２は、スリップ紙搬送路２２１を介して筐体部２１１から隔
てられた正面側カバー２１２ａと、正面カバー１２ａを片支持状態で保持する正面側側部
２１２ｂとから構成されている。スリップ紙Ｓは、図１に示すように、画像読み取りセン
サ付きプリンタ２１０の正面側であって、かつ背面側筐体部２１１の筐体２１１ａと正面
側筐体部２１２の正面カバー２１２ａとの間に開口したスリップ紙挿入口２２１ａからス
リップ紙搬送路２２１内に挿入可能とされている。
【００４８】
また、筐体部２１１と上面側蓋体部２１３との間には、ロール紙排出口２３５ａが形成
されている。このロール紙排出口２３５ａは、背面側筐体部１１内部に設けられた図示せ
ぬロール紙収納部に収納されているロール紙（不図示）が排出される開口である。
【００４９】
また、上面蓋体部２１３には、カードＣの挿入口となるカード挿入口２４１ａが形成さ
れている。
【００５０】
図４に示すように、スリップ紙挿入口２２１ａからスリップ紙搬送路２２１内に挿入さ
れたスリップ紙Ｓは、スリップ紙搬送路２２１に沿って配置された裏面印字部２３１およ
び表面印字部２３２によって印字可能に構成されている。また、スリップ紙搬送路２２１
のスリップ紙排出口２２１ｂ近傍には、スリップ紙Ｓの表面の画像を読み取るスリップ紙
画像読み取り装置２３３と、スリップ紙Ｓをスリップ紙画像読み取り装置２３３に押しつ
けるスリップ紙押しつけローラ２５１とが設けられている。スリップ紙画像読み取り装置
２３３は、ＣＩＳ型の画像読み取りセンサである。
【００５１】
また、カード挿入口２４１ａからカード搬送路２４１内に搬送されたカードＣは、カー
ドＣの表面の画像を読み取るカード画像読み取り装置２４２と、カードＣをカード画像読
み取り装置２４２に押しつけるカード押しつけローラ２５２とが設けられている。カード
画像読み取り装置２４２は、スリップ紙画像読み取り装置２３３と同様にＣＩＳ型の画像
読み取りセンサである。
【００５２】
図３及び図４に示したような画像読み取りセンサ付きプリンタ２１０に対して、図１に
示すようなＣＩＳ装置制御チップ５０を適用することが可能である。すなわち、図１にお
いて、第１のＣＩＳ装置２０をスリップ紙画像読み取り装置２３３で置き換え、第２のＣ
ＩＳ装置３０をカード画像読み取り装置２４２で置き換え、さらに第３のＣＩＳ装置４０
を省略することにより、ＣＩＳ装置制御チップ５０を画像読み取りセンサ付きプリンタ２
１０に適用可能である。
【００５３】
また、この画像読み取りセンサ付きプリンタ２１０では、スリップ紙画像読み取り装置
２３３にてスリップ紙Ｓとしての小切手上の画像情報を読み取り、そしてカード画像読み
取り装置２４２にて、この小切手の発行人が所持する免許証または認証カード等を読み取
ることができる。このように、画像読み取りセンサ付きプリンタ２１０を用いて、小切手
を読み取り、さらにこの小切手の発行人を確認するための関連するデータを有する免許証
又は認証カードを読み取ることにより、小切手の本人確認データを容易に生成保存するこ
とが可能である。
【００５４】
画像読み取りセンサ付きプリンタ２１０においても、単一のＣＩＳ装置制御チップ５０
を用いることにより、スリップ紙画像読み取り装置２３３及びカード画像読み取り装置２
４２の２つの画像読み取り装置の動作制御および信号処理を実施することが可能である。
よって、複数の画像読み取りセンサを設けた場合であっても、画像読み取り装置毎に信号
処理回路、制御回路等を設ける必要が無く、制御基板をコンパクトにすることが可能とな
る。
【００５５】
また、画像読み取りセンサ付きプリンタ２１０においても、このＣＩＳ装置制御チップ
５０として、カラースキャナ用のコントローラＩＣを用いることができる。この場合には
、カラースキャナ用のＲＧＢ入力に対してスリップ紙画像読み取り装置２３３及びカード
画像読み取り装置２４２、および未使用の３種をそれぞれを割り当てて、制御プログラム
（ファームウェア）を構成することにより達成でき、複雑な制御等を必要とすることなく
、制御基板をコンパクト化させることが可能となる。
【００５６】
また、実用面においても、このＣＩＳ装置制御チップ５０としてカラースキャナ用のコ
ントローラＩＣを用いることで従来のプログラム資産を流用できる。したがって、複数の
画像読み取りセンサを制御するＣＩＳ装置制御チップ５０用に特別な制御プログラムを作
成する必要がないので、ファームウェアの開発費を削減することもできる。
【産業上の利用可能性】
【００５７】
本発明は、複数の画像読み取りセンサを備えた画像読み取り装置に適用することが可能
である。
【図面の簡単な説明】
【００５８】
【図１】本発明に係る画像読み取り装置の一実施形態を示すブロック図である。
【図２】本発明に係る画像読み取り装置の制御回路の一部を示す図である。
【図３】ＣＩＳ装置制御チップを２つの画像読み取りセンサを有する画像読み取り装置である画像読み取りセンサ付きプリンタに適用した例を説明する図である。
【図４】ＣＩＳ装置制御チップを２つの画像読み取りセンサを有する画像読み取り装置である画像読み取りセンサ付きプリンタに適用した例を説明する図である。
【図５】従来のスキャナ装置を示す図である。
【符号の説明】
【００５９】
１０・・画像読み取り装置  ２０・・第１のＣＩＳ装置  ３０・・第２のＣＩＳ装置  ４
０・・第３のＣＩＳ装置  ５０・・ＣＩＳ装置制御チップ  ５１・・ＡＦＥ５２・・ＡＤ
Ｃ  ５３・・補正回路、５４・・トリガー生成回路、５５・・ランプ制御回路、５６・・
モータ制御回路、５７・・通信制御部  ５８・・チップ制御部  ６０・・モータ  ７０・
・メモリ
【図１】
2005072784.tif 000003
【図２】
2005072784.tif 000004
【図３】
2005072784.tif 000005
【図４】
2005072784.tif 000006
【図５】
2005072784.tif 000007